(57)【要約】【課題】簡単・コンパクトな構成でありながら、３波長のビーム整形と光軸に対する傾き補正により、良好な信号が得られる光ピックアップ装置を提供する。【解決手段】３波長・１レンズタイプの光ピックアップ装置１０であって、対物レンズ８と半導体レーザ１ａ，１ｂとの間の光路中に、各レーザビームＢ１〜Ｂ３を透過面７ａから入射させ、透過面７ａに対して非平行な反射面７ｂで反射させ、透過面７ａから出射させることにより、各波長のレーザビームＢ１〜Ｂ３の光強度分布を楕円形状から円形状に変換するビーム整形ミラー７を備える。ビーム整形ミラー７は、台形状の断面を有する透明部材７ｃで構成されている。反射面７ｂに２種類の回折格子ＧＲが市松模様に並んだ配置で形成されており、透過面７ａでの屈折作用による分散が反射面７ｂでの回折作用による分散で相殺されるように、２種類の回折格子ＧＲが青色レーザビームＢ１を回折させずに赤色・赤外レーザビームＢ２，Ｂ３を回折させる。【選択図】図１
2008130129.tif 000002
【特許請求の範囲】
【請求項１】
青色レーザビーム，赤色レーザビーム及び赤外レーザビームをそれぞれ出射する３つのレーザ光源と１つの対物レンズとで使用波長の異なる３種類の光ディスクに対応する、３波長・１レンズタイプの光ピックアップ装置であって、
前記対物レンズと３つのレーザ光源との間の光路中に、各レーザビームを透過面から入射させ、前記透過面に対して非平行な反射面で反射させ、前記透過面から出射させることにより、各波長のレーザビームの光強度分布を楕円形状から円形状に変換するビーム整形ミラーを備えており、そのビーム整形ミラーが台形状の断面を有する透明部材から成り、前記反射面に２種類の回折格子が市松模様に並んだ配置で形成されており、前記透過面での屈折作用による分散が前記反射面での回折作用による分散で相殺されるように、前記２種類の回折格子が青色レーザビームを回折させずに赤色レーザビームと赤外レーザビームを回折させることを特徴とする光ピックアップ装置。
【請求項２】
互いに異なる波長のレーザビームを出射する３つのレーザ光源と１つの対物レンズとで使用波長の異なる３種類の光ディスクに対応する、３波長・１レンズタイプの光ピックアップ装置であって、
前記対物レンズと３つのレーザ光源との間の光路中に、各レーザビームを透過面から入射させ、前記透過面に対して非平行な反射面で反射させ、前記透過面から出射させることにより、各波長のレーザビームの光強度分布を楕円形状から円形状に変換するビーム整形ミラーを備えており、前記反射面に２種類の回折格子が交互に複数並んだ状態で形成されており、前記透過面での屈折作用による分散が前記反射面での回折作用による分散で相殺されるように、前記２種類の回折格子が前記３波長のうちの２つの波長のレーザビームを回折させることを特徴とする光ピックアップ装置。
【請求項３】
前記２種類の回折格子が前記３波長のうちの１つの波長のレーザビームを回折させずに他の２つの波長のレーザビームを回折させることを特徴とする請求項２記載の光ピックアップ装置。
【請求項４】
前記ビーム整形ミラーが台形状の断面を有する透明部材から成っていることを特徴とする請求項２又は３記載の光ピックアップ装置。
【請求項５】
前記２種類の回折格子が市松模様に並んだ配置で形成されていることを特徴とする請求項２〜４のいずれか１項に記載の光ピックアップ装置。
【発明の詳細な説明】
【技術分野】
【０００１】
本発明は光ピックアップ装置に関するものであり、例えば、ＣＤ(compact disc)，ＤＶＤ(digital versatile disc)，ＢＤ(Blu-ray Disc等：青色レーザビームを用いる高密度光ディスク)等の３種類の光ディスクに対応した光ピックアップ装置に関するものである。
【背景技術】
【０００２】
例えば、１つの対物レンズで使用波長の異なる３種類の光ディスク(例えば、ＣＤ，ＤＶＤ，ＢＤ)に対応する、３波長・１レンズタイプの光ピックアップ装置においては、いずれの光ディスクからも十分な再生信号が得られるようにしようとすると、対物レンズで形成されるビームスポットを径の小さい円形にする必要がある。また、すべてのレーザビームが対物レンズに対して同じ方向から入射するように、光軸に対する傾きを補正する必要もある。
【０００３】
スポット形状に関しては、レーザビームを楕円ビームから円形ビームに変換するビーム整形素子(例えば、プリズムやシリンドリカルレンズ)を用いて、リム強度(すなわち、対物レンズに入射する光束の周辺強度比)の補正を行う光ピックアップ装置が特許文献１等で提案されている。また、レーザビームの方向に関しては、レーザビームの傾き補正機能とビーム整形機能とを有する複合機能プリズムを、立ち上げミラーとして用いた２波長・１レンズタイプの光ピックアップ装置が特許文献２で提案されている。その複合機能プリズムの第１面には波長選択性膜が蒸着されており、第１面で反射する波長のレーザビームと、第１面を透過して第２面で反射する波長のレーザビームと、が光軸に対して同じ傾き状態となるように補正される。
【特許文献１】特開２００５−３０９３５１号公報
【特許文献２】特開２００２−２０７１１０号公報
【発明の開示】
【発明が解決しようとする課題】
【０００４】
しかしながら、特許文献１で提案されているようなビーム整形素子を各波長について配置すると、光ピックアップ装置の光学系全体の大型化や複雑化を招いてしまう。また、特許文献２で提案されている２波長・１レンズタイプの光ピックアップ装置の場合、複合機能プリズムの波長選択性膜で反射する波長のレーザビームはビーム整形されない。つまり、１波長のビーム整形しか行うことができず、他の波長のレーザ光源には高い出力が必要となる。
【０００５】
本発明はこのような状況に鑑みてなされたものであって、その目的は、簡単かつコンパクトな構成でありながら、３波長のビーム整形と光軸に対する傾き補正により、良好な信号が得られる光ピックアップ装置を提供することにある。
【課題を解決するための手段】
【０００６】
上記目的を達成するために、第１の発明の光ピックアップ装置は、青色レーザビーム，赤色レーザビーム及び赤外レーザビームをそれぞれ出射する３つのレーザ光源と１つの対物レンズとで使用波長の異なる３種類の光ディスクに対応する、３波長・１レンズタイプの光ピックアップ装置であって、前記対物レンズと３つのレーザ光源との間の光路中に、各レーザビームを透過面から入射させ、前記透過面に対して非平行な反射面で反射させ、前記透過面から出射させることにより、各波長のレーザビームの光強度分布を楕円形状から円形状に変換するビーム整形ミラーを備えており、そのビーム整形ミラーが台形状の断面を有する透明部材から成り、前記反射面に２種類の回折格子が市松模様に並んだ配置で形成されており、前記透過面での屈折作用による分散が前記反射面での回折作用による分散で相殺されるように、前記２種類の回折格子が青色レーザビームを回折させずに赤色レーザビームと赤外レーザビームを回折させることを特徴とする。
【０００７】
第２の発明の光ピックアップ装置は、互いに異なる波長のレーザビームを出射する３つのレーザ光源と１つの対物レンズとで使用波長の異なる３種類の光ディスクに対応する、３波長・１レンズタイプの光ピックアップ装置であって、前記対物レンズと３つのレーザ光源との間の光路中に、各レーザビームを透過面から入射させ、前記透過面に対して非平行な反射面で反射させ、前記透過面から出射させることにより、各波長のレーザビームの光強度分布を楕円形状から円形状に変換するビーム整形ミラーを備えており、前記反射面に２種類の回折格子が交互に複数並んだ状態で形成されており、前記透過面での屈折作用による分散が前記反射面での回折作用による分散で相殺されるように、前記２種類の回折格子が前記３波長のうちの２つの波長のレーザビームを回折させることを特徴とする。
【０００８】
第３の発明の光ピックアップ装置は、上記第２の発明において、前記２種類の回折格子が前記３波長のうちの１つの波長のレーザビームを回折させずに他の２つの波長のレーザビームを回折させることを特徴とする。
【０００９】
第４の発明の光ピックアップ装置は、上記第２又は第３の発明において、前記ビーム整形ミラーが台形状の断面を有する透明部材から成っていることを特徴とする。
【００１０】
第５の発明の光ピックアップ装置は、上記第２〜第４のいずれか１つの発明において、前記２種類の回折格子が市松模様に並んだ配置で形成されていることを特徴とする。
【発明の効果】
【００１１】
本発明に係る３波長・１レンズタイプの光ピックアップ装置は、ビーム整形ミラーの反射面に２種類の回折格子が交互に複数並んだ状態で形成されており、透過面での屈折作用による分散が反射面での回折作用による分散で相殺されるように、２種類の回折格子が３波長のうちの２つの波長のレーザビームを回折させる構成になっているので、部品点数を増加させることなく、３波長すべてのレーザビームが対物レンズに対して同じ方向から入射するように、光軸に対する傾きを補正することができる。これにより、リム強度の高い良好なビームスポットを円形に近い光強度分布で十分に絞り込むことが、３波長について可能となる。また、シリンドリカルレンズ等のビーム整形素子を各波長について配置する場合に比べると、光学系全体をより小さく簡単に構成することができる。したがって、簡単かつコンパクトな構成でありながら、３波長のビーム整形と光軸に対する傾き補正により、良好な信号(例えば、記録信号，再生信号)を得ることが可能である。
【００１２】
２種類の回折格子が３波長のうちの１つの波長のレーザビームを回折させずに他の２つの波長のレーザビームを回折させる構成にすれば、非回折で使用するレーザビームの光利用効率を向上させることができるため、そのレーザ光源に必要な出力を抑えることができる。台形状の断面を有する透明部材でビーム整形ミラーを構成すれば、光ピックアップ装置の小型化をより効果的に達成することができる。また、ビーム整形ミラーにおいて２種類の回折格子を市松模様に並んだ配置で形成すれば、２種類の回折格子それぞれに対し平均的にレーザビームが入射するため、３波長のいずれのレーザビームを用いた場合でもビーム整形の効果が均等に得られ、光軸に対する傾き補正も効果的に行うことができる。
【００１３】
３波長のいずれのレーザビームを用いた場合でも対物レンズに対して同じ方向から入射させることができるので、３種類の光ディスクに対する互換性を確保することができる。例えば、３つのレーザ光源から出射されるレーザビームとして、青色レーザビーム，赤色レーザビーム及び赤外レーザビームを用いれば、ＣＤ，ＤＶＤ，ＢＤの３種類の光ディスクに対応することができる。
【発明を実施するための最良の形態】
【００１４】
以下、本発明に係る光ピックアップ装置の実施の形態等を、図面を参照しつつ説明する。図１に、光ピックアップ装置の一実施の形態の概略構成を模式的に示す。この光ピックアップ装置１０は、発振波長の異なる３つのレーザ光源(赤色／赤外用の２波長半導体レーザ１ａに搭載されている２つの光源と青色用の半導体レーザ１ｂに搭載されている１つの光源とから成る。)と１つの対物レンズ８とで、使用波長の異なる３種類の光ディスク９に対応する、３波長・１レンズタイプの光ピックアップ装置であり、３種類の光ディスク９のいずれに対しても情報の記録／再生を行うことが可能な構成になっている。
【００１５】
ここで想定している３種類の光ディスク９とは、例えば、青色レーザ対応(波長λ１：４０５ｎｍ)の第１の光ディスク(青色レーザビームを用いる高密度光ディスク；基板厚０．１ｍｍ，ＮＡ＝０．８５)，赤色レーザ対応(波長λ２：６５０ｎｍ)の第２の光ディスク(ＤＶＤ；基板厚０．６ｍｍ，ＮＡ＝０．６〜０．６５)，赤外レーザ対応(波長λ３：７８０ｎｍ)の第３の光ディスク(ＣＤ；基板厚１．２ｍｍ，ＮＡ＝０．４５〜０．５)である。ただし、その使用波長はこれらに限るものではない。また、その適用対象も光ディスクに限らず、光ディスク以外の光情報記録媒体に対しても本発明は適用可能である。
【００１６】
図１に示す光ピックアップ装置１０は、赤色／赤外用の２波長半導体レーザ１ａ，青色用の半導体レーザ１ｂ，ダイクロイックプリズム２，コリメートレンズ３，ビームスプリッター４，集光レンズ５，光検出器６，ビーム整形ミラー７，対物レンズ８等で構成されている。この光ピックアップ装置１０の光学構成を光路に沿って以下に説明する。
【００１７】
光ピックアップ装置１０は、前述したように、赤色／赤外用の２波長半導体レーザ１ａに搭載されている２つの光源と、青色用の半導体レーザ１ｂに搭載されている１つの光源と、をレーザ光源として有している。そして、３つのレーザ光源のいずれか１つが点灯することにより出射した、波長λ１の青色レーザビームＢ１，波長λ２の赤色レーザビームＢ２又は波長λ３の赤外レーザビームＢ３で、対応する光ディスク９に対する光情報の記録又は再生が行われる(λ１＜λ２＜λ３)。
【００１８】
半導体レーザ１ａ又は１ｂから出射したレーザビームＢ１，Ｂ２又はＢ３は、ダイクロイックプリズム２に入射する。ダイクロイックプリズム２は、青色，赤色，赤外の各レーザビームＢ１〜Ｂ３の光路を合成する光路合成素子である。したがって、半導体レーザ１ｂから出射した青色レーザビームＢ１は、ダイクロイックプリズム２を透過し、半導体レーザ１ａから出射した赤色レーザビームＢ２又は赤外レーザビームＢ３は、ダイクロイックプリズム２で反射されることにより、各レーザビームＢ１〜Ｂ３の光路が合成される。
【００１９】
ダイクロイックプリズム２を出射したレーザビームＢ１，Ｂ２又はＢ３は、コリメートレンズ３で平行光となった後、その一部がビームスプリッター４を透過する。ビームスプリッター４は、各半導体レーザ１ａ，１ｂから光ディスク９への光路と光ディスク９から光検出器６への光路との分岐を行う光路分岐素子であり、入射光を透過光と反射光とに光量を２分割するハーフミラーとして機能する。
【００２０】
ビームスプリッター４を透過したレーザビームＢ１，Ｂ２又はＢ３は、ビーム整形ミラー７に入射する。ビーム整形ミラー７は、台形状の断面を有する透明部材７ｃで構成されており、各レーザビームＢ１，Ｂ２又はＢ３を透過面７ａから入射させ、透過面７ａに対して非平行な反射面７ｂで反射させ、透過面７ａから出射させる。各波長のレーザビームＢ１，Ｂ２又はＢ３は、ビーム整形ミラー７の立ち上げミラーとしての機能により光路が対物レンズ８に向けて略９０°折り曲げられるとともに、ビーム整形機能により光強度分布が楕円形状から円形状に変換される。このビーム整形ミラー７の詳細に関しては後述する。
【００２１】
ビーム整形ミラー７を出射したレーザビームＢ１，Ｂ２又はＢ３は、対物レンズ８で集光されて、光ディスク９の記録面に到達し結像する。情報再生時に光ディスク９の記録面で反射されたレーザビームＢ１，Ｂ２又はＢ３は、対物レンズ８を通過し、ビーム整形ミラー７で反射された後、その一部がビームスプリッター４で反射される。ビームスプリッター４で反射されたレーザビームＢ１，Ｂ２又はＢ３は、集光レンズ５で集光されて光検出器６の受光面に到達し結像する。光検出器６は、受光したレーザビームＢ１，Ｂ２又はＢ３の光情報を検出し電気信号として出力する。
【００２２】
一般に、レーザビームを楕円ビームから円形ビームに変換するビーム整形には、楕円ビーム断面の短軸方向にビーム径を拡大するタイプと、楕円ビーム断面の長軸方向にビーム径を縮小するタイプと、がある。図１に示す光ピックアップ装置１０は、楕円ビーム断面の短軸方向にビーム径を拡大するタイプのビーム整形を採用している。ただし、ビーム整形ミラー７の配置を変更することにより、楕円ビーム断面の長軸方向にビーム径を縮小するタイプを光ピックアップ装置１０に採用することも可能である。図２(Ａ)に、楕円ビーム断面の短軸方向にビーム径を拡大する場合のビーム整形ミラー７の配置とそのときの光路を示し、図２(Ｂ)に、楕円ビーム断面の長軸方向にビーム径を縮小する場合のビーム整形ミラー７の配置とそのときの光路を示す。
【００２３】
図２(Ａ)(Ｂ)に示すいずれのタイプでビーム整形を行った場合でも、透過面７ａと反射面７ｂとが成す角度，間隔等を所定の大きさに調整することにより、レーザビームの光強度分布を楕円形状から理想的な円形状に変換することができる。したがって、リム強度の高い良好なビームスポットを光ディスク９の記録面上に形成することが可能である。なお、反射面７ｂの反射機能は、例えば、金属膜，誘電体多層膜を透明部材７ｃに形成することにより得ることができる。
【００２４】
従来より知られている一般的なプリズム型のビーム整形素子では、互いに非平行な透過面と反射面を有する透明部材でビーム整形が行われる。このため、透過面に入射したレーザビームは透明部材の分散特性によって波長毎に異なった角度で屈折することになる。例えば、図３(Ａ)に示すように透明部材７ｃに対し青色レーザ光線Ｌ１，赤色レーザ光線Ｌ２及び赤外レーザ光線Ｌ３が同じ入射角度で透過面７ａから入射した場合、赤外レーザ光線Ｌ３に対する屈折率よりも赤色レーザ光線Ｌ２に対する屈折率の方が大きく、赤色レーザ光線Ｌ２に対する屈折率よりも青色レーザ光線Ｌ１に対する屈折率の方が大きいため、光線入射時の透過面７ａでの屈折角の差(つまり分散特性)によって透明部材７ｃから出射するレーザ光線Ｌ１，Ｌ２，Ｌ３の方向に差が生じてしまう。これは２波長の光軸に傾きが生じることを意味する。その結果として、３本のレーザ光線Ｌ１〜Ｌ３がすべて光軸ＡＸ(図１)に対して同じ傾き状態となるように、光学部品を追加して補正しなければならなくなる。この実施の形態では、ビーム整形ミラー７の反射面７ｂに回折格子ＧＲを用いることによりこの問題点を解決している。
【００２５】
図４に、ビーム整形ミラー７の反射面７ｂに形成されている回折格子ＧＲの配置パターン例を示す。図４中、黒い正方形の部分が赤色用の回折格子Ｇ２であり、白い正方形の部分が赤外用の回折格子Ｇ３である。この回折格子ＧＲは、２種類の回折格子Ｇ２，Ｇ３が市松模様に並んだ配置で構成されている。いずれの回折格子Ｇ２，Ｇ３も一定間隔で直線状の溝が刻まれた表面レリーフ型の回折格子であるが、その格子ピッチは互いに異なっている。つまり、同一面に形成された２種類の回折構造で２波長λ２，λ３に対応した回折が可能になっている。具体的には、透過面７ａでの屈折作用による分散が反射面７ｂでの回折作用による分散で相殺されるように、赤色用の回折格子Ｇ２が青色レーザビームＢ１を回折させずに赤色レーザビームＢ２を回折させ、赤外用の回折格子Ｇ３が青色レーザビームＢ１を回折させずに赤外レーザビームＢ３を回折させる構成になっている。
【００２６】
反射面７ｂに形成される回折格子が１種類の場合には、透過面７ａでの屈折作用による分散を反射面７ｂでの回折作用による分散で相殺しようとしても、赤色レーザビームＢ２と赤外レーザビームＢ３のうちのいずれか一方しか回折させることができない。例えば、図３(Ｂ)に示すように、反射面７ｂに赤色用の回折格子Ｇ２のみを形成すると、赤色レーザ光線Ｌ２しか回折させることができず、赤外レーザ光線Ｌ３は異なった傾き状態をとることになる。図３(Ｃ)に示すように、反射面７ｂに２種類の回折格子Ｇ２，Ｇ３を形成すると、透過面７ａでの屈折作用による分散が反射面７ｂでの回折作用による分散で相殺されるように、青色レーザ光線Ｌ１を回折させずに赤色レーザ光線Ｌ２と赤外レーザ光線Ｌ３を回折させて、２波長λ２，λ３とも光軸傾きを補正することができる。これにより、各レーザ光線Ｌ１，Ｌ２，Ｌ３の傾きは同じ状態となるので、すべてのレーザビームＢ１〜Ｂ３を対物レンズ８に対して同じ方向から入射させることができる。
【００２７】
次に、ビーム整形ミラー７の反射面７ｂに形成されている回折格子ＧＲの具体的な構成を、表１に示すシミュレーション結果に基づいて説明する。このシミュレーションでは、ビーム整形ミラー７に入射するレーザビームは、青色レーザビームＢ１，赤色レーザビームＢ２及び赤外レーザビームＢ３とし、青色レーザビームＢ１は回折せず、赤色用の回折格子Ｇ２で赤色レーザビームＢ２が回折し、赤外用の回折格子Ｇ３で赤外レーザビームＢ３が回折するものとする。また、ビーム整形ミラー７を構成する透明部材７ｃの材質はＰＭＭＡ(polymethyl methacrylate)とし、ｄ線に対する屈折率ｎｄ＝１．４９、アッベ数νｄ＝５８とする。
【００２８】
図５に、回折格子ＧＲのシミュレーションに用いるパラメータを示す。図５(Ａ)は、図２(Ａ)に示すように、楕円ビーム断面の短軸方向にビーム径を拡大する場合(すなわち、ビーム整形比＞１の場合)の入射角α及びくさび角θを示しており、図５(Ｂ)は、図２(Ｂ)に示すように、楕円ビーム断面の長軸方向にビーム径を縮小する場合(すなわち、ビーム整形比＜１の場合)の入射角α及びくさび角θを示している。入射角α(°)は、ビーム整形ミラー７に対する入射光線が反射面７ｂの法線７ｎに対して成す角度(鋭角)であり、法線７ｎを基準とする左回りを正としている。くさび角θ(°)は、透過面７ａと反射面７ｂとの成す角度(鋭角)であり、入射角αが正のとき、反射面７ｂを基準とする右回りを正としている。
【００２９】
入射角α及びくさび角θを予め設定し、反射面７ｂに形成する回折格子ＧＲの格子本数(本／μｍ)と回折次数(０次光線を基準とする右回りが正、左回りが負である。)を変化させながら、ビーム整形ミラー７から出射した各レーザビームＢ１〜Ｂ３が形成するビームスポットを観察し、その観察結果から青色レーザビームＢ１に対する赤色レーザビームＢ２と赤外レーザビームＢ３の向きが略同一となる条件を決定した。その際、ビーム整形ミラー７での入射光線と出射光線とが成す角度が９０度となるように入射角αを調整した。シミュレーションの結果、表１に示す各くさび角θの場合で格子本数と回折次数を適切に選択すれば、色分散の影響を補正して３波長λ１〜λ３のレーザビームＢ１〜Ｂ３の向きを略同一にできることが分かった。青色レーザビームＢ１に対する赤色・赤外レーザビームＢ２，Ｂ３の光軸ズレ(μｍ)は生じるが、その影響は問題とならない程度であり、対物レンズ８等の構成により許容可能な範囲内にある。また、ビーム整形比はくさび角θに応じて変化するため、レーザビームの光強度分布が使用光源等によって異なる点を考慮して、くさび角θの設定を行えばよい。
【００３０】
【表１】
2008130129.tif 000003
【００３１】
以上説明したように光ピックアップ装置１０は、ビーム整形ミラー７の反射面７ｂに２種類の回折格子Ｇ２，Ｇ３が交互に複数並んだ状態で形成されており、透過面７ａでの屈折作用による分散が反射面７ｂでの回折作用による分散で相殺されるように、２種類の回折格子Ｇ２，Ｇ３が３波長λ１〜λ３のうちの２つの波長λ２，λ３のレーザビームＢ２，Ｂ３を回折させる構成になっているので、部品点数を増加させることなく、３波長λ１，λ２，λ３すべてのレーザビームＢ１，Ｂ２，Ｂ３が対物レンズ８に対して同じ方向から入射するように、光軸ＡＸに対する傾きを補正することができる。これにより、リム強度の高い良好なビームスポットを円形に近い光強度分布で十分に絞り込むことが、３波長λ１〜λ３について可能となる。また、シリンドリカルレンズ等のビーム整形素子を各波長について配置する場合に比べると、光学系全体をより小さく簡単に構成することができる。したがって、簡単かつコンパクトな構成でありながら、３波長λ１〜λ３のビーム整形と光軸ＡＸに対する傾き補正により、良好な信号(例えば、記録信号，再生信号)を得ることが可能である。
【００３２】
２種類の回折格子Ｇ２，Ｇ３が青色レーザビームＢ１を回折させずに赤色・赤外レーザビームＢ２，Ｂ３を回折させる構成になっているので、非回折で使用する青色レーザビームＢ１の光利用効率を向上させることができる。したがって、半導体レーザ１ｂに必要な出力を抑えることができる。また、ビーム整形ミラー７は台形状の断面を有する透明部材７ｃで構成されているので、光ピックアップ装置１０の小型化をより効果的に達成することができる。
【００３３】
ビーム整形ミラー７において２種類の回折格子Ｇ２，Ｇ３が市松模様に並んだ配置で形成されているので、２種類の回折格子Ｇ２，Ｇ３それぞれに対し平均的にレーザビームＢ１〜Ｂ３が入射する。このため、３波長λ１〜λ３のいずれのレーザビームＢ１〜Ｂ３を用いた場合でもビーム整形の効果が均等に得られ、光軸ＡＸに対する傾き補正も効果的に行うことができる。なお、反射面７ｂに２種類の回折格子Ｇ２，Ｇ３が交互に複数並んだ配置、例えば、短冊状，ストライプ状，モザイク状等の配置であれば、回折格子Ｇ２，Ｇ３を市松模様に並べた配置と同様の効果を得ることが可能である。
【００３４】
３波長λ１〜λ３のいずれのレーザビームＢ１〜Ｂ３を用いた場合でも対物レンズ８に対して同じ方向から入射させることができるので、３種類の光ディスク９に対する互換性を確保することができる。例えば、青色レーザビームＢ１，赤色レーザビームＢ２及び赤外レーザビームＢ３を用いれば、ＣＤ，ＤＶＤ，ＢＤの３種類の光ディスク９に対応することができる。
【図面の簡単な説明】
【００３５】
【図１】光ピックアップ装置の一実施の形態を示す模式図。
【図２】ビーム整形ミラーの断面及び光路を示す図。
【図３】ビーム整形ミラーでの光軸に対する傾き補正を説明するための光路図。
【図４】ビーム整形ミラーに形成されている回折格子の配置パターン例を示す模式図。
【図５】ビーム整形のシミュレーションに用いるパラメータを説明するための模式図。
【符号の説明】
【００３６】
Ｂ１    青色レーザビーム
Ｂ２    赤色レーザビーム
Ｂ３    赤外レーザビーム
Ｌ１    青色レーザ光線
Ｌ２    赤色レーザ光線
Ｌ３    赤外レーザ光線
ＧＲ    回折格子
Ｇ２    赤色用の回折格子
Ｇ３    赤外用の回折格子
１ｂ    青色用の半導体レーザ(レーザ光源)
１ａ    赤色／赤外用の半導体レーザ(レーザ光源)
７    ビーム整形ミラー
７ａ    透過面
７ｂ    反射面
７ｃ    透明部材
７ｎ    法線
８    対物レンズ
９    光ディスク
１０    光ピックアップ装置
ＡＸ    光軸
【図１】
2008130129.tif 000004
【図２】
2008130129.tif 000005
【図３】
2008130129.tif 000006
【図４】
2008130129.tif 000007
【図５】
2008130129.tif 000008